(57)【要約】【課題】通信性能を向上でき、かつ設計の自由度を向上できるアンテナ装置を提供する。【解決手段】  アンテナ装置１００は、ループアンテナ１０及び磁性体コイルアンテナ２０を備えるアンテナ装置であり、ループアンテナ１０の−Ｚ側（ループ面に直交する方向の一側）に、磁性体コイルアンテナ２０のコア２０ａとは非接触となるように磁性体シート３０が配置されている。この場合、通信性能を向上でき、かつ設計の自由度を向上できる。【選択図】図１
2015130566.tif 000002
【特許請求の範囲】
【請求項１】
ループアンテナ及び磁性体コイルアンテナを備えるアンテナ装置において、
前記ループアンテナのループ面に直交する方向の一側に、前記磁性体コイルアンテナの磁性体である第１の磁性体とは非接触となるように第２の磁性体が配置されていることを特徴とするアンテナ装置。
【請求項２】
前記第２の磁性体は、前記ループ面に直交する方向から見て、少なくとも一部が前記第１の磁性体とは重ならないことを特徴とする請求項１に記載のアンテナ装置。
【請求項３】
前記磁性体コイルアンテナのコイルの軸は、前記ループ面と略平行であることを特徴とする請求項１又は２に記載のアンテナ装置。
【請求項４】
前記磁性体コイルアンテナは、前記ループアンテナの外側に配置され、
前記コイルの軸は、前記ループアンテナにおける前記磁性体コイルアンテナに最も近い部分が延びる方向と略平行であることを特徴とする請求項３に記載のアンテナ装置。
【請求項５】
前記磁性体コイルアンテナは、前記第１の磁性体が前記ループアンテナの一部の前記ループ面に直交する方向の一側に位置するように配置されていることを特徴とする請求項１〜４のいずれか一項に記載のアンテナ装置。
【請求項６】
前記磁性体コイルアンテナは、前記ループアンテナの内側に配置されていることを特徴とする請求項１〜３のいずれか一項に記載のアンテナ装置。
【請求項７】
少なくとも前記磁性体コイルアンテナの前記ループ面に直交する方向の一側に前記磁性体コイルアンテナによる磁界を誘導する部材を更に備えることを特徴とする請求項１〜６のいずれか一項に記載のアンテナ装置。
【請求項８】
前記ループアンテナ及び前記磁性体コイルアンテナは、前記ループ面に平行な基板の一側の面上及び他側の面上に個別に配置されていることを特徴とする請求項１〜７のいずれか一項に記載のアンテナ装置。
【請求項９】
前記ループアンテナ及び前記磁性体コイルアンテナは、前記ループ面に平行な基板の一側の面上に配置されていることを特徴とする請求項１〜７のいずれか一項に記載のアンテナ装置。
【請求項１０】
前記基板は、複数の電子部品が実装される回路基板であることを特徴とする請求項８又は９に記載のアンテナ装置。
【請求項１１】
前記第２の磁性体は、前記ループ面に直交する方向から見て、前記ループアンテナの全域に重なることを特徴とする請求項１〜１０のいずれか一項に記載のアンテナ装置。
【請求項１２】
前記第２の磁性体は、枠状であり、
前記磁性体コイルアンテナは、前記第２の磁性体の内側に配置されていることを特徴とする請求項１１に記載のアンテナ装置。
【請求項１３】
請求項１〜１２のいずれか一項に記載のアンテナ装置と、
前記アンテナ装置の第２の磁性体の、ループアンテナのループ面に直交する方向の一側に配置された電磁波シールドと、を備える機器。
【発明の詳細な説明】
【技術分野】
【０００１】
本発明は、アンテナ装置に係り、更に詳しくは、ループアンテナ及び磁性体コイルアンテナを備えるアンテナ装置及び該アンテナ装置を備える機器に関する。
【背景技術】
【０００２】
従来、ループアンテナのループ面に直交する方向の一側に磁性体コイルアンテナが配置されることで通信性能が向上されたアンテナ装置が知られている（例えば特許文献１参照）。
【発明の概要】
【発明が解決しようとする課題】
【０００３】
しかしながら、特許文献１に開示されているアンテナ装置では、ループアンテナと磁性体コイルアンテナとの位置関係が決まっており、設計の自由度が制限されていた。
【課題を解決するための手段】
【０００４】
本発明は、ループアンテナ及び磁性体コイルアンテナを備えるアンテナ装置において、
前記ループアンテナのループ面に直交する方向の一側に、前記磁性体コイルアンテナの磁性体である第１の磁性体とは非接触となるように第２の磁性体が配置されていることを特徴とするアンテナ装置である。
【発明の効果】
【０００５】
本発明によれば、通信性能を向上でき、かつ設計の自由度を向上できる。
【図面の簡単な説明】
【０００６】
【図１】図１（Ａ）〜図１（Ｃ）は、それぞれ本発明の実施例１のアンテナ装置を説明するための図（その１〜その３）である。
【図２】図２（Ａ）及び図２（Ｂ）は、それぞれ本発明の実施例２のアンテナ装置を説明するための図（その１及びその２）である。
【図３】図３（Ａ）及び図３（Ｂ）は、それぞれ本発明の実施例３のアンテナ装置を説明するための図（その１及びその２）である。
【図４】図４（Ａ）及び図４（Ｂ）は、それぞれ本発明の実施例４及び５のアンテナ装置を説明するための図である。
【図５】図５（Ａ）及び図５（Ｂ）は、それぞれ本発明の実施例６及び７のアンテナ装置を説明するための図である。
【図６】図６（Ａ）及び図６（Ｂ）は、それぞれ本発明の変形例８及び９のアンテナ装置を説明するための図である。
【図７】図７（Ａ）〜図７（Ｃ）は、それぞれ本発明の実施例１０のアンテナ装置を説明するための図（その１〜その３）である。
【図８】図８（Ａ）及び図８（Ｂ）は、それぞれ本発明の変形例１のアンテナ装置を説明するための図（その１及びその２）である。
【図９】図９（Ａ）及び図９（Ｂ）は、それぞれ本発明の変形例２のアンテナ装置を説明するための図（その１及びその２）である。
【図１０】図１０（Ａ）及び図１０（Ｂ）は、それぞれ本発明の変形例３のアンテナ装置を説明するための図（その１及びその２）である。
【図１１】図１１（Ａ）〜図１１（Ｃ）は、それぞれ本発明の変形例４のアンテナ装置を説明するための図（その１〜その３）である。
【発明を実施するための形態】
【０００７】
以下に、本発明の実施形態（実施例１〜実施例１０）を図１（Ａ）〜図７（Ｃ）に基づいて説明する。図１（Ａ）〜図１（Ｃ）には、実施例１のアンテナ装置１００の概略構成が示されている。
【０００８】
実施例１のアンテナ装置１００は、例えば携帯電話（ガラケー）、スマートフォン、ＩＣカード、ＩＣカード用リーダライタ、ＲＦＩＤタグ、ＲＦＩＤタグ用リーダライタ、各種操作用リモコン等の無線通信用の機器に搭載される。
【０００９】
すなわち、アンテナ装置１００は、近接型の通信用のアンテナ装置であって、通信相手となるアンテナ装置が発生させる磁束と磁気的に結合（磁気結合）することによって通信を行うアンテナ装置である。
【００１０】
一般に、磁気結合型のアンテナ装置は、周波数が例えば１３．５６ＭＨｚの信号の送信又は受信を行うことが多いが、これに限られるものではない。
【００１１】
アンテナ装置１００は、図１に示されるように、ループアンテナ１０、磁性体コイルアンテナ２０、磁性体シート３０、金属シート５０などを備えている。以下の説明では、図１（Ａ）〜図１（Ｃ）等に示されるＸＹＺ３次元直交座標系を適宜用いて説明する。なお、図１（Ｂ）は、図１（Ａ）のＡ−Ａ線断面図である。図１（Ｃ）では、便宜上、金属シート５０等の図示が省略されている。
【００１２】
基板４０は、一例として、ＰＣＢ（Ｐｒｉｎｔｅｄ  Ｃｉｒｃｕｉｔ  Ｂｏａｒｄ：プリント回路基板）であり、ＸＹ平面に平行に配置されている。基板４０の−Ｚ側の面の所定領域には、ＩＣチップを含む複数の電子部品が実装されている。これら複数の電子部品は、アンテナ装置１００が搭載される上記機器の制御回路を構成し、アンテナ装置１００を介した無線通信を制御する。ＰＣＢ４０の材質としては、例えば樹脂等の非金属（絶縁体）が用いられる。
【００１３】
ループアンテナ１０は、一例として、薄型の矩形枠状（矩形ループ状）のコイル（螺旋状に巻かれた導線）から成る。ここでは、ループアンテナ１０は、ループ面（コイルにおける導線の巻回方向を含む面）が基板４０に平行になるように該基板４０の＋Ｚ側の面に取り付けられている。より詳細には、ループアンテナ１０は、直角を成す２つの辺部の一方がＸ軸に平行となり、かつ他方がＹ軸に平行になるように基板４０の＋Ｚ側の面に取り付けられている。ここでは、ループアンテナ１０は、概ねＺ軸方向に指向性を有する。なお、以下では、ループアンテナ１０のループ面を、単に「ループ面」とも称する。
【００１４】
なお、ループアンテナ１０は、導電性の材料を用いた印刷やエッチングによって形成されたものであっても良い。また、ループアンテナ１０は、矩形枠状に限らず、例えば円形枠状、楕円形枠状、正方形枠状、Ｎ角形枠状（Ｎは３又は５以上）等の枠状であっても良く、適宜変更可能である。また、ループアンテナ１０のループは、閉じたループに限らず、開いたループ（一部途切れたループ）であっても良い。また、ループアンテナ１０のコイルの巻き数も適宜変更可能である。
【００１５】
磁性体シート３０は、一例として、磁性体からなる矩形枠状のシート（面状の部材）である。磁性体シート３０は、上記複数の電子部品を取り囲むように基板４０の−Ｚ側の面に取り付けられている。これにより、装置の小型化が図られている。なお、同様に装置の小型化を図る観点から、上記複数の電子部品は、基板４０の＋Ｚ側の面上におけるループアンテナ１０の内側に実装されても良い。
【００１６】
詳述すると、磁性体シート３０は、ループアンテナ１０と概ね同形かつ同大であり、４つの辺部がループアンテナ１０の対応する４つの辺部の−Ｚ側に位置するように基板４０の−Ｚ側の面に取り付けられている。ここでは、磁性体シート３０の各辺部の幅は、ループアンテナ１０の各辺部の幅よりも大きくなっている。すなわち、磁性体シート３０は、Ｚ軸方向（ループアンテナ１０のループ面に直交する方向）から見て、ループアンテナ１０の占有領域の全域に重なっている。
【００１７】
なお、磁性体シート３０は、単一の磁性体で構成されても良いし、複数の磁性体が組み合わされて構成されても良い。また、磁性体シートは、矩形枠状に限らず、適宜変更可能であり、例えば円形枠状、楕円形枠状、正方形枠状、Ｎ角形枠状（Ｎは３又は５以上）、Ｎ角形状（Ｎは３以上）等であっても良い。
【００１８】
磁性体シート３０の材料としては、例えば高い透磁率で高周波損失の少ないフェライト、鉄、ニッケル、コバルト、これらのうち少なくとも２種の合金等の磁性体であることが好ましく、強磁性体であることがより好ましい。また、磁性体シート３０は、リジッドなものであっても良いし、フレキシブルなものであっても良い。
【００１９】
磁性体コイルアンテナ２０は、一例として、細長い板状の磁性体からなるコア２０ａと、該コア２０ａに巻かれたコイル２０ｂ（螺旋状に巻かれた導線）とを含む。ここでは、磁性体コイルアンテナ２０は、コア２０ａの長手方向、すなわちコイル２０ｂの軸がループアンテナ１０のＹ軸に平行な辺部に平行になり、かつ磁性体シート３０の＋Ｘ側に位置するように基板４０の−Ｚ側の面に取り付けられている。すなわち、磁性体コイルアンテナ２０と磁性体シート３０とは、非接触である。ここでは、磁性体コイルアンテナ２０は、概ねＹ軸方向に指向性を有する。なお、磁性体コイルアンテナは、バーアンテナとも呼ばれる。
【００２０】
この場合、ループアンテナ１０の磁界方向（概ねＺ軸方向）と磁性体コイルアンテナ２０の磁界方向（概ねＹ軸方向）は、互いに略直交している。この結果、アンテナ装置１００が発生する磁界を多指向化でき、装置の通信範囲を多方向化することができる。すなわち、アンテナ装置１００の通信範囲＝ループアンテナ１０による通信範囲＋磁性体コイルアンテナ２０の通信範囲とすることができる。
【００２１】
コア２０ａの形状は、例えば実装空間の大きさや形状等に応じて、適宜設定可能であり、例えば棒状やシート状であっても良い。すなわち、コア２０ａは、導体コイルが巻かれる部材であれば良く、形状、大きさは、特に限定されない。
【００２２】
また、コア２０ａの材質としては、例えばフェライト、鉄、ニッケル、コバルト、これらのうち少なくとも２種の合金等の磁性体であることが好ましく、強磁性体であることがより好ましい。また、コア２０ａは、リジッドなものであっても良いし、フレキシブルなものであっても良い。
【００２３】
以上の説明から分かるように、アンテナ装置１００では、ループアンテナ１０及び磁性体コイルアンテナ２０を備える複合アンテナでありながら、ループアンテナ１０、磁性体コイルアンテナ２０及び磁性体シート３０が基板４０に沿って配置され、磁性体コイルアンテナ２０及び磁性体シート３０の−Ｚ側に金属シート５０が基板４０に平行に配置されることで、装置の薄型化が図られている。
【００２４】
ここで、一般に、アンテナ装置が例えば携帯端末等の機器に搭載される際、該アンテナ装置の一側（通信を行う側と逆側）には、機器外への電磁波の放出を抑制するための電磁波シールドとなる、磁性体以外の金属からなる金属部品（例えば筐体の一部）が配置される。なお、電磁波が機器外へ放出されると、例えば人体や電子機器（例えば医療機器等）に悪影響を及ぼすことが知られている。電磁波シールドとしては、金属部品に限らず、要は、電磁波を遮蔽する、磁性体以外の材料からなる部材であれば良い。また、電磁波シールドは、単一の部材に限らず、複数の部材で構成されていても良い。
【００２５】
この場合、仮に磁性体シート３０がないと、上記金属部品の表面に渦電流による反磁界が発生し、ループアンテナ１０による磁界が弱められてしまう。すなわち、ループアンテナ１０の通信性能（例えば通信距離）が低下してしまう。
【００２６】
実施例１のアンテナ装置１００では、ループアンテナ１０の−Ｚ側に磁性体シート３０が配置され、誘導磁界（図１（Ｂ）の破線参照）を発生させるため、上記金属部品での渦電流による反磁界の影響を低減することができ、ループアンテナ１０の通信性能の低下を抑制できる。
【００２７】
また、磁性体コイルアンテナ２０においても、ループアンテナ１０と同様に、上記金属部品による通信性能（例えば通信距離）の低下が懸念される。
【００２８】
そこで、実施例１では、磁性体コイルアンテナ２０の、上記金属部品による通信性能の低下を抑制するために、面状の金属シート５０が用いられている。なお、金属シート５０としては、透磁率が高い金属製のシートであることが好ましい。また、金属シート５０の代わりに、透磁率が高い合金製やフェライト製のシートを用いても良く、要は、磁性体コイルアンテナ２０による磁界を誘導する部材であれば良い。また、金属シート５０は、リジッドなものであっても良いし、フレキシブルなものであっても良い。ここでは、金属シート５０は、図示しない固定部材を介して基板４０に固定されているが、アンテナ装置１００が搭載される機器に固定されても良い。
【００２９】
金属シート５０の大きさは、少なくとも磁性体コイルアンテナ２０の占有領域を覆う程度の大きさで良いが、ループアンテナ１０による磁界に影響しない範囲で極力大きい面積であることが望ましい。ここでは、金属シート５０の面積は、少なくとも磁性体コイルアンテナ２０及びループアンテナ１０の占有領域を覆う大きさに設定されている。すなわち、金属シート５０は、Ｚ軸方向から見て磁性体コイルアンテナ２０の全域及びループアンテナ１０の全域に重なるように、両アンテナの−Ｚ側に配置されている。
【００３０】
また、装置の小型化の観点からは、磁性体コイルアンテナ２０と磁性体シート３０のＸ軸方向に関する距離は、磁性体コイルアンテナ２０による磁界が磁性体シート３０の影響を受けない範囲で極力短くすることが好ましい。
【００３１】
但し、ループアンテナ１０と磁性体コイルアンテナ２０との距離が短すぎると、磁性体シート３０の影響によりループアンテナ１０と磁性体コイルアンテナ２０との間の相互インダクタンスが減少し、ループアンテナ１０による通信距離及び磁性体コイルアンテナ２０による通信距離が短くなる。一方、ループアンテナ１０と磁性体コイルアンテナ２０との距離が長すぎると、通信相手のアンテナ装置の大きさや該アンテナ装置との位置関係によっては、磁性体コイルアンテナ２０とループアンテナ１０とによる多指向性の効果が減少する。例えば、ループアンテナ１０及び磁性体コイルアンテナ２０の一方が通信相手のアンテナ装置から離れた位置にある場合は、他方のみが通信相手のアンテナ装置との通信範囲に位置することとなり、互いに磁界をカバーできなくなる。そこで、ループアンテナ１０と磁性体コイルアンテナ２０は、ループアンテナ１０による通信距離及び磁性体コイルアンテナ２０による通信距離が極力長くなるような位置関係で配置されることが好ましい。
【００３２】
なお、ループアンテナ１０と磁性体コイルアンテナ２０とのＸ軸方向に関する距離を近づけたい場合、例えば基板４０を厚くして、磁性体コイルアンテナ２０と磁性体シート３０との距離を稼ぐこととしても良い。
【００３３】
また、ループアンテナ１０と磁性体コイルアンテナ２０は、直列又は並列に接続されることが望ましい。
【００３４】
また、図２（Ａ）及び図２（Ｂ）に示される実施例２のアンテナ装置２００のように、ループアンテナ１０及び磁性体コイルアンテナ２０の双方が基板４０の＋Ｚ側の面上に配置されても良い。なお、図２（Ｂ）は、図２（Ａ）のＢ−Ｂ線断面図である。
【００３５】
実施例２のアンテナ装置２００では、基板４０の−Ｚ側であって磁性体シート３０の＋Ｘ側に金属シート１５０が配置されている。この場合、磁性体コイルアンテナ２０による磁界を誘導することができ、かつ装置の薄型化を図ることができる。なお、金属シート１５０は、磁性体コイルアンテナ２０の占有領域のみならずループアンテナ１０の占有領域の少なくとも一部を覆っていても良い。この場合、ループアンテナ１０の−Ｚ側に磁性体シート３０が配置されているため、ループアンテナ１０による磁界は金属シート１５０の影響をほとんど受けない。
【００３６】
また、図３（Ａ）及び図３（Ｂ）に示される実施例３のアンテナ装置３００のように、磁性体コイルアンテナ２０をループアンテナ１０の内側に配置しても良い。この場合も、ループアンテナ１０と磁性体コイルアンテナ２０との位置関係、すなわちループアンテナ１０と磁性体コイルアンテナ２０とのＸＹ平面に平行な方向（例えばＸ軸方向）に関する相対位置（位置関係）を両アンテナによる通信距離が極力長くなるように設定することが好ましい。なお、図３（Ｂ）は、図３（Ａ）のＣ−Ｃ線断面図である。
【００３７】
また、上記実施例１〜３では、磁性体コイルアンテナ２０は、コイル２０ｂの軸がループアンテナ１０のループ面（ＸＹ平面）に対して平行になるように配置されているが、これに限られない。
【００３８】
例えば、図４（Ａ）及び図４（Ｂ）に示される実施例４及び５のアンテナ装置４００、５００のように、磁性体コイルアンテナ２０は、コイル２０ｂの軸がループ面（ＸＹ平面）に対して角度を成すように（非平行に）配置されても良い。
【００３９】
また、上記実施例１及び２では、磁性体コイルアンテナ２０は、コイル２０ｂの軸が、ループアンテナ１０における磁性体コイルアンテナ２０に最も近い部分（＋Ｘ側の辺部）が延びる方向に平行な方向（Ｙ軸方向）に平行になるように配置されているが、これに限られない。
【００４０】
例えば、図５（Ａ）及び図５（Ｂ）に示される実施例６及び７のアンテナ装置６００、７００のように、磁性体コイルアンテナ２０は、コイル２０ｂの軸が、ループアンテナ１０の＋Ｘ側の辺部が延びる方向に平行な方向（Ｙ軸方向）に直交するように配置されても良い。なお、アンテナ装置６００では、磁性体コイルアンテナ２０が基板４０の＋Ｚ側の面上に配置され、アンテナ装置７００では、磁性体コイルアンテナ２０が基板４０の−Ｚ側の面上に配置されている。
【００４１】
アンテナ装置６００、７００によれば、ループアンテナ１０による磁界を磁性体コイルアンテナ２０による磁界で十分に強化することができるため、通信距離を十分に長くすることができる。そこで、通信距離を十分に確保しつつ、ループアンテナの１０の小型化を図ることができ、通信性能に優れたコンパクトなアンテナ装置を実現できる。
【００４２】
また、例えば、図６（Ａ）及び図６（Ｂ）に示される実施例８及び９のアンテナ装置８００、９００のように、磁性体コイルアンテナ２０は、コイル２０ｂの軸が、ループアンテナ１０の＋Ｘ側の辺部が延びる方向に平行な方向（Ｙ軸方向）に傾斜するように配置されても良い。なお、アンテナ装置６００では、磁性体コイルアンテナ２０が基板４０の＋Ｚ側の面上に配置され、アンテナ装置７００では、磁性体コイルアンテナ２０が基板４０の−Ｚ側の面上に配置されている。
【００４３】
アンテナ装置８００、９００によれば、ループアンテナ１０による磁界を磁性体コイルアンテナ２０による磁界で強化でき、かつ磁界を多指向化できるため、通信距離を長くすることができ、かつ通信範囲を多方向化することができる。そこで、通信距離及び通信範囲を確保しつつ、ループアンテナの１０の小型化を図ることができ、かつ通信性能に優れたコンパクトなアンテナ装置を実現できる。
【００４４】
また、例えば、図７（Ａ）〜図７（Ｃ）に示される実施例１０のアンテナ装置１０００のように、磁性体コイルアンテナ２０を磁性体シート３０の内側に配置し、複数の電子部品をループアンテナ１０の内側に配置することとしても良い。なお、図７（Ｂ）は、図７（Ａ）のＤ−Ｄ線断面図である。
【００４５】
実施例１０のアンテナ装置１０００によれば、通信範囲を確保しつつ、装置の薄型化及び小型化を図ることができ、通信性能に優れた超コンパクトなアンテナ装置を実現できる。
【００４６】
ところで、近年、携帯端末（例えば携帯電話）などの機器にＮＦＣ（Ｎｅａｒ  Ｆｉｅｌｄ  Ｃｏｍｍｕｎｉｃａｔｉｏｎ）などの近接型無線通信機能が付与されるようになってきている。これまで携帯端末などに搭載されていた近接無線通信用のアンテナとしては、ループアンテナが用いられているが、通信性能の向上の要求に対して、ループアンテナを大型化することで対応してきた。
【００４７】
しかしながら、携帯端末における部品の増加、バッテリーの大型化及び薄型化の要求に伴い、近接型無線通信機能が付与される機器のアンテナの搭載容積（搭載スペース）が限られることになり、ループアンテナの小型化、薄型化が要求されるようになってきている。
【００４８】
さらに、携帯端末内には、通常、金属部品が全面に搭載されているため、該金属部品の影響を受けないようなループアンテナの設計も必要となってきている。この場合、個々の携帯端末における実装条件に応じてループアンテナを金属部品の影響を受けないような形状にする必要がある。
【００４９】
一方、大型のループアンテナに代えて、小型で通信性能の良い磁性体コイルアンテナを用いることにより、小型化の要請に応えつつ携帯端末での通信性能を確保する方法もあるが十分な通信距離を確保することは困難である。
【００５０】
そこで、アンテナ装置１００では、上述の如く、ループアンテナ１０と磁性体コイルアンテナ２０を組み合わせて、小型化及び通信性能の向上の両立を図っている。
【００５１】
以上説明した本実施形態（実施例１〜実施例１０）のアンテナ装置は、ループアンテナ１０及び磁性体コイルアンテナ２０を備えるアンテナ装置であり、ループアンテナ１０の−Ｚ側（ループ面に直交する方向の一側）に、磁性体コイルアンテナ２０の磁性体であるコア２０ａ（第１の磁性体）とは非接触となるように磁性体シート３０（第２の磁性体）が配置されている。
【００５２】
この場合、アンテナ装置を機器に搭載する際、該機器の一部を構成する、電磁波シールドとなる金属部品（例えば機器の筐体の一部）側に磁性体シート３０を向けた状態でアンテナ装置を配置することで、該金属部品に起因する、ループアンテナ１０が発生させる磁界の低下を抑制できる。
【００５３】
そこで、ループアンテナ１０が発生させる磁界の低下を磁性体シート３０によって抑制しつつ、ループアンテナ１０及び磁性体コイルアンテナ２０の配置を適宜変更でき、ひいては通信性能の向上を図ることができる。
【００５４】
また、コア２０ａと磁性体シート３０とは、非接触であるため、磁性体コイルアンテナ２０による磁界と、磁性体シート３０が誘導するループアンテナ１０による磁界とが干渉すること（例えば弱め合うこと）を抑制でき、通信性能の低下を抑制できる。
【００５５】
結果として、本実施形態のアンテナ装置では、通信性能を向上でき、かつ設計の自由度を向上できる。
【００５６】
すなわち、本実施形態のアンテナ装置では、装置が搭載される機器に必要とされる通信性能（例えば通信距離、指向性等）、機器の筐体の大きさ、形状、内部レイアウトなどに応じて、設計を自由に変更することができる。
【００５７】
また、本実施形態のアンテナ装置では、磁性体シート３０は、ループアンテナ１０のループ面に直交する方向（＋Ｚ方向又は−Ｚ方向）から見て、全体がコア２０ａとは重ならないため、磁性体コイルアンテナ２０による磁界と磁性体シート３０が誘導するループアンテナ１０による磁界とが干渉すること（例えば弱め合うこと）をより一層抑制でき、通信性能の低下を十分に抑制できる。
【００５８】
また、実施例１〜３、６〜１０のアンテナ装置では、磁性体コイルアンテナ２０のコイル２０ｂの軸は、ループアンテナ１０のループ面に平行であるため、装置の薄型化を図ることができる。
【００５９】
また、実施例１及び２のアンテナ装置では、磁性体コイルアンテナ２０はループアンテナ１０の外側に配置され、磁性体コイルアンテナ２０のコイル２０ｂの軸は、ループアンテナ１０における磁性体コイルアンテナ２０に最も近い部分が延びる方向と略平行であるため、ループアンテナ１０による磁界の方向と磁性体コイルアンテナ２０による磁界の方向を略直交させることができ、両アンテナの通信性能が弱い方向（指向性を有しない方向）を互いに補い合うことができる。
【００６０】
また、実施例３のアンテナ装置では、磁性体コイルアンテナ２０は、ループアンテナ１０の内側に配置されているため、装置の薄型化及び小型化を図ることができる。
【００６１】
また、本実施形態のアンテナ装置は、少なくとも磁性体コイルアンテナ２０の、−Ｚ側（ループ面に直交する方向の一側）に金属シート５０を更に備えているため、磁性体コイルアンテナ２０による磁界を誘導でき、金属部品に起因する、磁性体コイルアンテナ２０が発生させる磁界の低下を抑制できる。
【００６２】
また、本実施形態のアンテナ装置では、基板４０は、プリント回路基板であるため、基板４０上に複数の電子部品、ループアンテナ１０、磁性体コイルアンテナ２０、磁性体シート３０を集約でき、ひいてはアンテナ装置が搭載される機器の小型化及び薄型化を図ることができる。
【００６３】
また、磁性体シート３０は、Ｚ軸方向（ループ面に直交する方向）から見て、ループアンテナ１０の全域に重なっているため、ループアンテナ１０による略全磁界を誘導することができる。
【００６４】
そこで、本実施形態のアンテナ装置と、該アンテナ装置の磁性体シート３０の−Ｚ側に配置された金属部品（電磁波シールド）と、を備える機器では、電磁波シールドを有しながら、通信性能及び設計の自由度（例えば筐体の大きさ、形状、内部レイアウト等の設計の自由度）を向上できる。
【００６５】
詳述すると、本実施形態のアンテナ装置を携帯端末等の金属部品を背面の略全域に有する機器に搭載する場合、該金属部品による影響で著しく通信距離が短くなる。そこで、金属部品の影響を低減するため、アンテナ装置１００では、ループアンテナの−Ｚ側に磁性体シート３０が配置され、磁性体コイルアンテナ２０の−Ｚ側に金属シート５０が配置されることで−Ｚ側の磁束が打ち消されることになり、各アンテナに流れる電流が増加し、その結果、該アンテナのループアンテナ１０による通信距離及び磁性体コイルアンテナ２０による通信距離を増大させることができる。
【００６６】
なお、上記実施形態では、ループアンテナ１０及び磁性体コイルアンテナ２０は、基板４０に実装されているが、これに限られず、少なくとも一方は、基板４０に実装されていなくても良い。すなわち、ループアンテナ１０と磁性体コイルアンテナ２０とは、一体的に設けられていても良いし、一体的に設けられていなくても良い。
【００６７】
また、上記実施形態では、アンテナ装置は、基板４０を備えているが、備えていなくても良い。この場合、基板４０を、アンテナ装置が搭載される機器の一部としても良い。
【００６８】
また、上記実施形態のアンテナ装置は、磁性体コイルアンテナ２０の−Ｚ側に金属シート５０を有しているが、必ずしも有していなくても良い。
【００６９】
また、上記実施形態（但し、実施例１０を除く）では、複数の電子部品が磁性体シート３０の内側に配置されているが、外側に配置されても良い。
【００７０】
また、上記実施形態では、磁性体コイルアンテナ２０のコア２０ａ及び磁性体シートは、Ｚ軸方向から見て重ならないように配置されているが、重なるように配置されても良い。
【００７１】
また、上記実施形態では、磁性体シートは、Ｚ軸方向（ループ面に直交する方向）から見て、ループアンテナ１０の占有領域の全域に重なっているが、これに限らず、要は、ループアンテナ１０の占有領域の少なくとも一部に重なっていれば良い。
【００７２】
また、上記実施形態（但し、実施例２を除く）では、金属シート５０は、ループアンテナ１０及び磁性体コイルアンテナ２０の−Ｚ側に配置されているが、これに限らず、要は、少なくとも磁性体コイルアンテナ２０の少なくとも一部の−Ｚ側に配置されていることが好ましい。
【００７３】
また、上記実施形態では、ループアンテナ１０は、ループ面が基板４０に平行になるように配置されているが、非平行になるように配置されても良い。
【００７４】
また、上記実施形態のアンテナ装置は、ループアンテナ１０及び磁性体コイルアンテナ２０を１つずつ備えているが、これに限られない。例えば、１つのループアンテナに対して、複数の磁性体コイルアンテナが設けられても良いし、１つの磁性体コイルアンテナに対して、複数のループアンテナが設けられても良い。
【００７５】
以下に、１つの磁性体コイルアンテナと複数のループアンテナとを備える変形例１〜４のアンテナ装置について説明する。
【００７６】
図８（Ａ）及び図８（Ｂ）に示される変形例１のアンテナ装置１１００では、基板４０の＋Ｚ側の面上に１つの磁性体コイルアンテナ２０及び２つのループアンテナ１０ａ、１０ｂが実装されている。なお、図８（Ａ）における右側の図は、アンテナ装置１１００の回路構成を模式的に示す図である。図８（Ｂ）は、図８（Ａ）の左側の図のＥ−Ｅ線断面図である。
【００７７】
アンテナ装置１１００では、磁性体コイルアンテナ２０は、コイル２０ｂの軸がＹ軸に平行になるように配置されている。２つのループアンテナ１０ａ、１０ｂは、概ね同大であり、磁性体コイルアンテナ２０をＸ軸方向に挟むように配置されている。
【００７８】
また、ループアンテナ１０ｂは、ループアンテナ１０ａよりもコイルの巻き数が多くなっている（例えば３／４回程度）。この場合、ループアンテナ１０ｂの磁界がループアンテナ１０ａの磁界よりも強くなる。
【００７９】
そして、図８（Ａ）から分かるように、２つのループアンテナ１０ａ、１０ｂは、直列に接続されている。さらに、２つのループアンテナ１０ａ、１０ｂが直列に接続されて成る直列接続体と、磁性体コイルアンテナ２０のコイル２０ｂ及びＡＦＥ（アナログ・フロント・エンド）とが並列に接続されている。なお、「ＡＦＥ」とは、センサなどの信号検出デバイス及びマイコンなどのデジタル信号処理デバイスを含むアナログ回路を意味する。
【００８０】
また、Ｚ軸方向から見て基板４０の−Ｚ側の面上における各ループアンテナの占有領域の全域に重なるように面状の磁性体シート３２が配置され、該磁性体シート３２の−Ｚ側に金属シート５０が配置されている。ここでは、磁性体シート３２は、各ループアンテナに対して１つずつ、すなわち合計２つ設けられている。
【００８１】
また、各ループアンテナの内側には、複数の電子部品が実装されている。ここで、複数の電子部品が実装されている領域を部品実装エリアと呼ぶ。一例として、各ループアンテナの部品実装エリアは、該ループアンテナの内側のＸ軸方向中央に設定されている。
【００８２】
なお、図９（Ａ）及び図９（Ｂ）に示される変形例２のアンテナ装置１２００のように、同形かつ同大の２つのループアンテナ１０ｃ、１０ｄを、磁性体コイルアンテナ２０をＸ軸方向に挟むように配置しても良い。ここでは、各ループアンテナのコイルの巻き数は同等である。この場合、２つのループアンテナ１０ｃ、１０ｄによる磁界が略等しくなる。
【００８３】
また、図１０（Ａ）及び図１０（Ｂ）に示される変形例３のアンテナ装置１３００のように、ループアンテナ１０ｃとループアンテナ１０ｄと磁性体コイルアンテナ２０とを直列に接続し、２つのループアンテナ１０ｃ、１０ｄ及び磁性体コイルアンテナ２０から成る直列接続体とＡＦＥとを直列に接続しても良い。
【００８４】
また、図１１（Ａ）〜図１１（Ｃ）に示される変形例４のアンテナ装置１４００では、基板４０の＋Ｚ側の面上に配置されたループアンテナ１０ｅの内側に、該ループアンテナ１０ｅよりも幾分小さいループアンテナ１０ｆが配置されている。
【００８５】
ループアンテナ１０ｆの内側には、例えばＡＦＥを含む複数の電子部品が実装されるエリアである部品実装エリアがある。
【００８６】
また、図１１（Ｂ）及び図１１（Ｃ）から分かるように、磁性体コイルアンテナ２０は、コア２０ａが２つのループアンテナ１０ｅ、１０ｆの−Ｘ側の辺部の全域にＺ軸方向から見て重なるように配置されている。すなわち、コア２０ａは、各ループアンテナによる磁界の一部を誘導する磁性体としても機能する。この場合、装置の更なる小型化を図ることができる。
【００８７】
また、図１１（Ｃ）から分かるように、磁性体シート３４は、略Ｕ字状に形成され、各ループアンテナの−Ｘ側の辺部以外の部分の全域にＺ軸方向から見て重なるように配置されている。
【００８８】
図示は省略されているが、アンテナ装置１４００でも、２つのループアンテナ１０ｅ、１０ｆが直列に接続されて成る直列接続体と、磁性体コイルアンテナ２０とが直列又は並列に接続されている。
【００８９】
なお、変形例４のアンテナ装置は、ループアンテナ１０ｅを取り囲む少なくとも１つのループアンテナを更に有しても良いし、ループアンテナ１０ｆによって取り囲まれる少なくとも１つのループアンテナを更に有していても良い。
【符号の説明】
【００９０】
１０…ループアンテナ、２０…磁性体コイルアンテナ、２０ａ…コア（第１の磁性体）、２０ｂ…コイル、３０…磁性体シート（第２の磁性体）、４０…基板（回路基板）、５０…金属シート（磁性体コイルアンテナによる磁界を誘導する部材）、１００、２００、３００、４００、５００、６００、７００、８００、９００、１０００、１１００、１２００、１３００、１４００…アンテナ装置。
【先行技術文献】
【特許文献】
【００９１】
【特許文献１】特許第５０１８８０３号公報
【図１】
2015130566.tif 000003
【図２】
2015130566.tif 000004
【図３】
2015130566.tif 000005
【図４】
2015130566.tif 000006
【図５】
2015130566.tif 000007
【図６】
2015130566.tif 000008
【図７】
2015130566.tif 000009
【図８】
2015130566.tif 000010
【図９】
2015130566.tif 000011
【図１０】
2015130566.tif 000012
【図１１】
2015130566.tif 000013